(57)【要約】【課題】大きさをコンパクトに構成すると共に、特定の周波数のノイズを良好に排除することができる積層構造分布定数型ＲＣ素子、フィルタおよび電子機器を提供する。【解決手段】  複数抵抗体１２Ａ，１２Ｂと、抵抗体１２Ａ，１２Ｂに形成された端子電極１８ａ〜１８ｄと、分布容量を形成する分布容量電極１５とから構成された複数の分布定数型ＲＣ素子１４Ａ，１４Ｂを備え、複数の分布定数型ＲＣ素子１４Ａ，１４Ｂの、抵抗体１２Ａ，１２Ｂは、その厚み方向に積層配置されるとともに互いに直列に接続され、互いに異なる分布定数型ＲＣ素子１４Ａ，１４Ｂ間で端子電極１８ａ，１８ｃ同士が対向配置されることによって端子電極間に容量Ｃ０が形成されてなる。【選択図】        図１
2006054697.tif 000002
【特許請求の範囲】
【請求項１】
面状の抵抗体と、該抵抗体の長手方向両端部に形成された端子電極と、前記抵抗体と対向配置されることによって前記抵抗体との間に分布容量を形成する分布容量電極とから構成された分布定数型ＲＣ素子を複数備え、
前記複数の分布定数型ＲＣ素子の各抵抗体は、前記抵抗体の厚み方向に積層配置されるとともに互いに直列に接続され、互いに異なる分布定数型ＲＣ素子間で該分布定数型ＲＣ素子の前記端子電極同士が対向配置されることによって該端子電極間に容量が形成されてなる積層構造分布定数型ＲＣ素子。
【請求項２】
１つの前記分布容量電極が、その厚み方向上方および下方に配置された２つの前記抵抗体と対向配置し、それぞれの抵抗体との間に分布容量を形成した、請求項１に記載の積層構造分布定数型ＲＣ素子。
【請求項３】
請求項１または請求項２に記載の積層構造分布定数型ＲＣ素子を含む、ノッチフィルタ。
【請求項４】
前記積層構造分布定数型ＲＣ素子が複数接続され、前記複数の積層構造分布定数型ＲＣ素子のうち、一つの積層構造分布定数型ＲＣ素子のノッチ周波数と他の積層構造分布定数型ＲＣ素子のノッチ周波数とが異なる、請求項３に記載のノッチフィルタ。
【請求項５】
バッファ回路と、該バッファ回路の入力側に設けられた前記分布定数型ＲＣ素子とを備えた請求項３または請求項４に記載のノッチフィルタ。
【請求項６】
請求項３から請求項５のいずれかに記載のノッチフィルタを含む、電子機器。
【発明の詳細な説明】
【技術分野】
【０００１】
この発明は、積層構造分布定数型ＲＣ素子、該積層構造分布定数型ＲＣ素子を含むノッチフィルタおよび該ノッチフィルタを含む電子機器に関する。
【背景技術】
【０００２】
一般に、特定の周波数付近の信号だけを通さないフィルタとしては、分布定数型ＲＣ素子を用いたノッチ特性を有するフィルタが知られている。従来、分布定数型ＲＣ素子を用いたノッチ特性を有するフィルタとしては、分布定数型ＲＣ素子と容量とから構成されたフィルタ、分布定数型ＲＣ素子と抵抗体とから構成されたフィルタ、その他、積層体を有するフィルタなどが知られている。
【０００３】
従来の分布定数型ＲＣ素子と容量とから構成されたフィルタとしては、図１８に示されるようなフィルタ２００が知られており、このフィルタ２００は、分布定数型ＲＣ素子２０１と、この分布定数型ＲＣ素子２０１に対して並列に配置された容量２０２とから構成されている。分布定数型ＲＣ素子２０１は、図１９に示されるように、略直方体形状の誘電体２０３と、この誘電体２０３の上面に配置された長尺板状の抵抗体２０４と、抵抗体２０４の長手方向両端部に設けられた端子電極２０４ａ、２０４ｂと、誘電体２０３の下面に抵抗体２０４と対向するように、配置された電極２０５とから構成されている。
【０００４】
このように構成されたフィルタ２００の伝達関数Ｔ（ｓ）は、次式のようになり、伝達関数のＣ０が０ではない場合には、Ｔ（ｓ）＝０、あるいはＴ（ｓ）の絶対値が極小値を持つためノッチが生じ、特定の周波数の信号を阻止する。
【０００５】
【数１】
2006054697.tif 000003
【０００６】
また、フィルタ２００は、図２０に示されるように、バッファ回路２０６を組み合わせることにより急峻なノッチ特性が得られることが知られている。
【０００７】
ここで、バッファ回路２０６の出力端子は、分布定数型ＲＣ素子２０１の電極２０５が接続されている。
【０００８】
上記従来の分布定数型ＲＣ素子と抵抗体とから構成されたフィルタとしては、図２１に示されるように、チップ型フィルタ２２０が知られている。
【０００９】
このチップ型フィルタ２２０は、略箱型形状に形成された誘電体としての積層体２２１と、この積層体２２１の上面に配置された第１、第２抵抗層２２２、２２３と、積層体２２１内に配置された内部電極２２４と、積層体２２１の両端部に形成された接地電極２２５や端子電極２２６等から構成されている（特許文献１参照）。
【００１０】
このように構成されたチップ型フィルタ２２０の等価回路は、図２２に示されるように、分布定数型ＲＣ素子と、第１抵抗層２２３とが直列に接続されたものとなっており、ノッチ特性を示すものとなっている。
【００１１】
上記従来の積層体を有するフィルタとしては、図２３（ａ）に示されるように、抵抗体と電極とが積層されることにより構成されたフィルタ２４０が知られている（特許文献２参照）。
【００１２】
このフィルタ２４０は、平板状の抵抗体２４１と、誘電体２４２、２４３を介して抵抗体２４１の上下に配置された電極２４４、２４５とから構成されている。
【００１３】
このように構成されたフィルタ２４０の等価回路図は、図２３（ｂ）に示され、また、フィルタ２４０は、図２３（ｃ）の実線に示されるように、ノッチ特性を示す。
【００１４】
また、積層体を有するフィルタとしては、図２４に示されるように、二つの電極２５１、２５２と、この電極２５１、２５２間に配置された抵抗体２５３とから構成されたフィルタ２５０が知られている（特許文献３参照）。
【００１５】
このように構成されたフィルタ２５０は、上記フィルタ２４０と同様の等価回路としてあらわすことができ、ノッチ特性を有するものとなっている。
【特許文献１】特開平８−２６５０８１号公報
【特許文献２】特開平１０−９３３７０号公報
【特許文献３】特開平１０−２５６０８２号公報
【発明の開示】
【発明が解決しようとする課題】
【００１６】
しかし、上記従来の分布定数型ＲＣ素子と容量とから構成されたフィルタにおいては、分布定数型ＲＣ素子のみでは、ノッチ特性を得ることができないため、誘電体に形成された分布定数型ＲＣ素子に並列に接続された容量を別途設けており、フィルタ自体が大きくなるという問題があった。また、上記従来のチップ型フィルタにおいては、分布定数型ＲＣ素子のみでは、ノッチ特性を得ることができないため、分布定数型ＲＣ素子に対して直列に接続された抵抗体を設けており、チップ型フィルタ自体が大きくなるという問題があった。
【００１７】
この発明は、このような事情を考慮してなされたものであり、ノッチ特性を有する分布定数型ＲＣ素子をコンパクトに構成すると共に、特定の周波数の入力信号を良好に排除することができる積層構造分布定数型ＲＣ素子、ノッチフィルタおよび電子機器を提供することを目的とする。
【課題を解決するための手段】
【００１８】
本発明に係る積層構造分布定数型ＲＣ素子は、１つの局面では、面状の抵抗体と、抵抗体の長手方向両端部に形成された端子電極と、抵抗体と対向配置されることによって抵抗体との間に分布容量を形成する分布容量電極とから構成された分布定数型ＲＣ素子を複数備え、複数の分布定数型ＲＣ素子の各抵抗体は、抵抗体の厚み方向に積層配置されるとともに互いに直列に接続され、互いに異なる分布定数型ＲＣ素子間で当該分布定数型ＲＣ素子の端子電極同士が対向配置されることによって該端子電極間に容量が形成されてなる。上記分布容量電極は、好ましくは１つの分布容量電極が、厚み方向上方および下方に配置された２つの抵抗体と対向配置している。
【００１９】
本発明に係るノッチフィルタは、上述の積層構造分布定数型ＲＣ素子を含む。上記フィルタは、好ましくは上述の積層構造分布定数型ＲＣ素子が複数接続され、積層構造分布定数型ＲＣ素子のうち、一つの積層構造分布定数型ＲＣ素子と、他の積層構造分布定数型ＲＣ素子のノッチ周波数が異なることが好ましい。上記フィルタは、好ましくはノッチ周波数のうち、最も大きなノッチ周波数より小さい周波数を通過させる通過帯域を有するローパスフィルタを含む。上記フィルタは、好ましくはバッファ回路と、バッファ回路の出力側に設けられた前記分布定数型ＲＣ素子と含む。本発明に係る電子機器は、好ましくは上述したフィルタを含む。
【発明の効果】
【００２０】
本発明の積層構造分布定数型ＲＣ素子によれば、異なる抵抗体が有する端子電極を積層方向で対向させることでその間に容量を形成することができ、それによってノッチ特性を得ることができるので、ノッチ特性を有する分布定数型ＲＣ素子をコンパクトに構成することができる。それによって、特定の周波数の入力信号を排除することができる。さらに、本発明のフィルタおよび電子機器は、本発明の積層構造分布定数型ＲＣ素子を有するので、これらについてもコンパクト化を図ることができる。
【発明を実施するための最良の形態】
【００２１】
以下、図１から図６を用いて、本発明の実施の形態１について説明する。
【００２２】
（実施の形態１）
図１は、本発明の実施の形態１における積層構造分布定数型ＲＣ素子１０の概略構成図を示す斜視図である。図１に示すように、本実施の形態１に係る積層構造分布定数型ＲＣ素子１０は、誘電体層としてのシート１６Ａおよびシート１６Ｂを介して互いに厚み方向に離間して配置された２層の抵抗体１２Ａ，１２Ｂと、抵抗体１２Ａ、１２Ｂの両端部に形成された端子電極１８ａ、１８ｂ，１８ｃ，１８ｄと、抵抗体１２Ａ，１２Ｂ間に配置され、抵抗体１２Ａ、１２Ｂと対向配置されると共に、抵抗体１２Ａ、１２Ｂとの間にそれぞれ分布容量を発生する分布容量電極１５とから構成された分布定数型ＲＣ素子１４Ａ、１４Ｂとを備える。分布定数型ＲＣ素子１４Ａ、１４Ｂの２つの抵抗体１２Ａ，１２Ｂは、接続部１３を介して直列接続されている。互いに対向配置されている端子電極１８ａ、１８ｃにより容量Ｃ０が構成されている。分布定数型ＲＣ素子１４Ｂの下方には、誘電体層としてのシート１６Ｃが設けられている。分布定数型ＲＣ素子１４Ａは、分布容量電極１５の上面側に配置された抵抗体１２Ａと、端子電極１８ａ，１８ｂと、分布容量電極１５とから構成されている。分布定数型ＲＣ素子１４Ｂは、分布容量電極１５の下面側に配置された抵抗体１２Ｂと、端子電極１８ｃ、１８ｄと、分布容量電極１５とから構成されている。このように、抵抗体１２Ａと抵抗体１２Ｂとが分布容量電極１５を共有して、分布定数型ＲＣ素子１４Ａ、１４Ｂを構成している。抵抗体１２Ａ、１２Ｂは、シート１６Ａ、１６Ｃの上面側に形成されており、長尺板状の略長方形形状に形成されている。
【００２３】
シート１６Ａ、１６Ｂ、１６Ｃは、低温焼成基板（ＬＴＣＣ）から構成されている。この抵抗体１２Ａ、１２Ｂとしては、抵抗体として機能し得る材料であれば、任意の材料を使用することができる。たとえば、酸化ルテニウムからなるサーメット系の厚膜抵抗体等があげられる。
【００２４】
抵抗体１２Ａの一方の端部には、端子電極１８ａが形成されており、抵抗体１２Ｂの一方の端部には、端子電極１８ｃが形成されている。端子電極１８ａには、入出力配線３１ａが接続され、端子電極１８ｃには、入出力配線３１ｂが接続されている。抵抗体１２Ａの他方の端部には、端子電極１８ｂが形成されており、抵抗体１２Ｂの他方の端部には、端子電極１８ｄが形成されている。端子電極１８ｂと端子電極１８ｄとの間には、接続部（ビアホール）１３が設けられており、抵抗体１２Ａと抵抗体１２Ｂとが電気的に直列に接続されている。
【００２５】
端子電極１８ａと端子電極１８ｃとは、積層構造分布定数型ＲＣ素子１０の積層方向に対向配置されており、容量Ｃ０を構成する。端子電極１８ａ〜１８ｄは、抵抗体１２Ａ，１２Ｂの端部の形状に沿うように形成された基部１９ａ〜１９ｄと、この基部１９ａ〜１９ｄから抵抗体１２Ａ、１２Ｂの長手方向に突出する突出部３０ａ〜３０ｄが形成されている。このため、容量Ｃ０は、基部１９ａと突出部３０ａの少なくとも一方と、基部１９ｃと突出部３０ｃとの少なくとも一方とから構成されている。このように構成された容量Ｃ０は、直列に接続された抵抗体１２Ａと抵抗体１２Ｂとに対して並列に接続されている。すなわち、容量Ｃ０は、直列に接続された分布定数型ＲＣ素子１４Ａと分布定数型ＲＣ素子１４Ｂとに対して並列に配置されている。
【００２６】
抵抗体１２Ａが形成されたシート１６Ａと、抵抗体１２Ｂが形成されたシート１６Ｃとの間には、分布容量電極１５が形成されたシート１６Ｂが配置されている。分布容量電極１５は、長尺板状の略長方形形状に形成されており、上面視した際に端子電極１８ａ、１８ｂと端子電極１８ｃ，１８ｄとの間に配置されている。また、分布容量電極１５は、抵抗体１２Ａ、１２Ｂから積層方向に離間して配置されており、抵抗体１２Ａ、１２Ｂに対して対向配置され、抵抗体１２Ａと抵抗体１２Ｂとの間に分布容量を発生する。抵抗体１２Ａ、１２Ｂが分布容量電極１５の表裏面側に配置されているため、分布容量は、分布容量電極１５の表裏面のいずれにおいても発生する。また、分布容量電極１５は上面視した際に、抵抗体１２Ａに形成された端子電極１８ａと端子電極１８ｂとの間に配置されている。このため、端子電極１８ａと、端子電極１８ｃとが、直接対向することとなり確実に容量Ｃ０が構成される。
【００２７】
図２は、本実施の形態１における積層構造分布定数型ＲＣ素子１０の分解斜視図である。図２を用いて、本実施の形態に係る積層構造分布定数型ＲＣ素子１０について詳細に説明する。
【００２８】
図２に示されるように、シート１６Ａの長手方向の端部側には、穴部１７ｂが形成されており、中央部付近には、穴部１７ｃが形成されている。また、穴部１７ｂの上端部には、端子電極１８ｂの突出部３０ｂが位置している。シート１６Ｂには、シート１６Ａに形成された穴部１７ｂに対応する位置に、穴部１７ｆが形成されている。シート１６Ｃには、長手方向の端部のうち、穴部１７ｂと対向する端部側に、穴部１７ｈが形成されている。穴部１７ｂ、１７ｃ、１７ｆ、１７ｈ内には、導電性の充填部３４ｂ、３４ｃ、３４ｆ、３４ｈがそれぞれ形成されている。
【００２９】
図３は、上記構成の積層構造分布定数型ＲＣ素子１０の製造方法の一例を示す図である。この図３を用いて、上記積層構造分布定数型ＲＣ素子１０の製造方法の一例について説明する。
【００３０】
積層構造分布定数型ＲＣ素子１０の製造方法は、抵抗体１２Ａ、１２Ｂを製造する抵抗体製造工程と、分布容量電極１５を製造する電極製造工程と、シート１６Ａ〜１６Ｃを焼成・積層する焼成・積層工程とからなる。図３に示されるように、抵抗体製造工程においては、まず、穴部形成工程にて、パンチャによってシート１６Ａに、それぞれ穴部１７ｂ、１７ｃを形成する。穴部形成工程後の電極充填工程においては、穴部１７ｂ、１７ｃにそれぞれ、導電材料を充填し、導電性の充填部３４ｂ、３４ｃが形成される。電極充填工程後の抵抗体印刷工程においては、抵抗体１２Ａがシート１６Ａの上面に印刷される。抵抗体印刷工程後の端子電極印刷工程においては、端子電極１８ａ、１８ｂが、それぞれ抵抗体１２Ａの両端部に形成される。同様に、シート１６Ｃにも穴部１７ｈと、充填部３４ｈと、抵抗体１２Ｂと端子電極１８ｃ、１８ｄとが形成される。
【００３１】
電極製造工程においては、まず、穴部形成工程において、パンチャでシート１６Ｂに穴部１７ｆを形成する。穴部形成工程後の電極充填工程においては、穴部１７ｆに導電性の充填部３４ｆが形成される。電極充填工程後の電極印刷工程においては、分布容量電極１５がシート１６Ｂの上面に印刷される。
【００３２】
焼成・積層工程においては、シート１６Ｃの上面側に、シート１６Ｂを積層して、このシート１６Ｂの上面側にシート１６Ａを積層した後に、これらシート１６Ａ〜１６Ｃに焼成を施すことにより、積層構造分布定数型ＲＣ素子１０を製造する。この際、充填部３４ｂ、３４ｆと突出部３０ｄとが上下方向に接続されることにより、接続部１３が形成される。
【００３３】
図４は、積層構造分布定数型ＲＣ素子１０を製造する際に、用いられるスクリーンパターンの斜視図である。
【００３４】
図４（ａ）は、端子電極印刷工程にて用いられる端子電極スクリーンパターン３６の斜視図である。この端子電極スクリーンパターン３６は、略長方形形状に形成されている。端子電極スクリーンパターン３６は、中央部が略長方形形状に開口させられた枠部３６ｄと、この枠部３６ｄの開口部に設けられたスクリーン３６ａとから構成されている。
【００３５】
スクリーン３６ａには、形成する端子電極１８ａ、１８ｂと同一の形状に形成されたパターン部３６ｂ、３６ｃが形成されている。このように構成された端子電極スクリーンパターン３６は、端子電極１８ａ〜１８ｄを形成する際には、シート１６Ａ、１６Ｃの上方に配置される。そして、端子電極スクリーンパターン３６の上方から電極材料を塗布することにより、シート１６Ａ、１６Ｃの上面に端子電極１８ａ〜１８ｄを印刷する。
【００３６】
図４（ｂ）は、抵抗体印刷工程にて用いられる抵抗体スクリーンパターン３５の斜視図である。この抵抗体スクリーンパターン３５は、略長方形形状に形成されている。抵抗体スクリーンパターン３５は、中央部が略長方形形状に開口させられた枠部３５ｄと、この枠部３５ｄの開口部に設けられたスクリーン３５ａとから構成されている。スクリーン３５ａには、形成する抵抗体１２Ａ、１２Ｂと同一形状に形成されたパターン部３５ｂが形成されている。このように構成された抵抗体スクリーンパターン３５は、抵抗体１２Ａ、１２Ｂを形成する際には、シート１６Ｂの上方に配置される。そして、端子電極スクリーンパターン３６の上方から電極材料を塗布または印刷することにより、抵抗体１２Ａ、１２Ｂをシート１６Ａ、１６Ｃの上面に印刷する。なお、図４（ｃ）については、後述する。
【００３７】
図５は、上記のように形成された積層構造分布定数型ＲＣ素子１０の等価回路図である。この図５に示されるように、積層構造分布定数型ＲＣ素子１０は、抵抗体１２Ａと、抵抗体１２Ａに対して直列に接続された抵抗体１２Ｂと、抵抗体１２Ａ、１２Ｂに対向配置された分布容量電極１５と、抵抗体１２Ａ、１２Ｂを跨いで並列に配置された容量Ｃ０とから構成されている。すなわち、容量Ｃ０は、抵抗体１２Ａと、抵抗体１２Ａと直列に接続された抵抗体１２Ｂとに対して並列に配置されている。このように構成された積層構造分布定数型ＲＣ素子１０の伝達関数Ｔ（ｓ）は、下記のようになり、この伝達関数Ｔ（ｓ）は、Ｔ（ｓ）＝０または、Ｔ（ｓ）の絶対値が極小値をとるｓを有するため、ノッチ特性を示すことが分かる。
【００３８】
【数２】
2006054697.tif 000004
【００３９】
図６の破線は、上記のように構成された積層構造分布定数型ＲＣ素子１０の周波数特性を示した図であり、図６の実線は、本実施の形態１に係る積層構造分布定数型ＲＣ素子１０と、この積層構造分布定数型ＲＣ素子１０の出力側に配置されたバッファ回路から構成されたフィルタの周波数特性を示す図である。この図６の破線に示されるように、積層構造分布定数型ＲＣ素子１０は、ノッチ特性を有する事がわかる。すなわち、この積層構造分布定数型ＲＣ素子１０においては、対抗配置された抵抗体１２Ａ，１２Ｂに形成された端子電極１８ａ，１８ｃにより容量Ｃ０が形成されるので、ノッチ特性を示す積層構造分布定数型ＲＣ素子１０を構成することができる。また、端子電極１８ａ，１８ｃは、抵抗体１２Ａ，１２Ｂに電流を流すために必要不可欠な構成要素である一方で、容量Ｃ０は、端子電極１８ａと、端子電極１８ｃとから構成されているため、容量Ｃ０を構成するにあたり、何ら新たな構成要素を追加する必要がなく、ノッチ特性を有する積層構造分布定数型ＲＣ素子１０をコンパクトに構成することができる。さらに、この積層構造分布定数型ＲＣ素子１０においては、分布容量電極１５の表裏面側に抵抗体１２Ａ，１２Ｂが配置されているため、分布容量電極１５を上下の抵抗体１２Ａ、１２Ｂで共有することとなり、積層構造分布定数型ＲＣ素子１０を薄く構成することができる。その上、図６の実線に示されるように、積層構造分布定数型ＲＣ素子１０と、バッファ回路とから構成されたフィルタは、急峻な減衰カーブを示し、特定の周波数の信号を減衰させるノッチ特性を有する。
【００４０】
（実施の形態２）
次に、図７、図８を用いて本発明の実施の形態２について説明する。
【００４１】
本実施の形態２では、抵抗体１２Ａ、１２Ｂとして厚膜抵抗体が用いられ、分布容量電極１５として厚膜電極が用いられ、抵抗体１２Ａ、１２Ｂと分布容量電極１５とが厚膜印刷法によりアルミナ基板４１に形成されている。
【００４２】
図７（ｂ）の例では、積層構造分布定数型ＲＣ素子４０は、アルミナ基板４１と、アルミナ基板４１上に形成された抵抗体１２Ｂと、抵抗体１２Ｂの両端部に形成された端子電極１８ｃ、１８ｄと、抵抗体１２Ｂの上面側に形成されたインシュレータ４４と、このインシュレータ４４の上面に形成された分布容量電極１５と、分布容量電極１５の上面側に形成されたインシュレータ４５と、このインシュレータ４５の上面に形成された抵抗体１２Ａと、抵抗体１２Ａの両端部に形成された端子電極１８ａ、１８ｂとから構成されている。突出部３０ａ、３０ｂ、３０ｃ、３０ｄは、インシュレータ４４、４５の長手方向の両端部から突出するように配置されている。抵抗体１２Ａと、分布容量電極１５と、端子電極１８ａ、１８ｂとから分布定数型ＲＣ素子１４Ａが構成されている。また、抵抗体１２Ｂと分布容量電極１５と、端子電極１８ｃ、１８ｄとから分布定数型ＲＣ素子１４Ｂが構成されている。図７（ａ）は、積層構造分布定数型ＲＣ素子４０の上面図を示す図である。図７（ａ）に示されるように、突出部３０ａと、突出部３０ｃとは、上面視した際に位置がずらされて配置されており、突出部３０ｂと突出部３０ｄとは、上面視した際に同一の位置に配置されている。突出部３０ｂと突出部３０ｄとの間には、接続部１３が形成され、突出部３０ａおよび突出部３０ｄは、入出力用端子とされている。本実施の形態２においては、端子電極１８ａの基部１９ａと、端子電極１８ｃの基部１９ｃとが対向配置されており、これら、基部１９ａと基部１９ｃ間にて、容量Ｃ０が構成されている。
【００４３】
図８は、本実施の形態２に係る積層構造分布定数型ＲＣ素子４０の製造方法を示した図である。図８に示されるように、積層構造分布定数型ＲＣ素子４０を製造する際には、まず、アルミナ基板４１上に抵抗体１２Ｂを印刷する。抵抗体１２Ｂを印刷した後には、抵抗体１２Ｂの両端部に端子電極１８ｃ、１８ｄを印刷する。端子電極１８ｃ、１８ｄを印刷した後には、端子電極１８ｃ、１８ｄと抵抗体１２Ｂの上面にインシュレータ４４を印刷する。インシュレータ４４を印刷した後には、インシュレータ４４の上面に分布容量電極１５を印刷する。分布容量電極１５を印刷した後には、電極の上面にインシュレータ４５を印刷する。インシュレータ４５を印刷した後には、抵抗体１２Ａを印刷する。抵抗体１２Ａを印刷した後には、抵抗体１２Ａの両端部に端子電極１８ａ，１８ｂを印刷して、積層構造分布定数型ＲＣ素子４０を構成する。
【００４４】
図４（ｃ）は、インシュレータ４４、４５を形成する際に用いられるインシュレータ用スクリーンパターン７９である。インシュレータ用スクリーンパターン７９は、中央部が略長方形形状に開口させられた枠部７９ｄと、この開口部に設けられたスクリーン７９ａとから構成されている。スクリーン７９ａには、形成するインシュレータ４４、４５の形状と同一形状に形成されたパターン部７９ｂが形成されている。このように構成されたインシュレータ用スクリーンパターン７９は、インシュレータ４４、４５を形成する際に、インシュレータ用スクリーンパターン７９の上方からインシュレータ材料を塗布することにより、インシュレータ４４、４５を印刷する。
【００４５】
このように構成された積層構造分布定数型ＲＣ素子４０は、厚膜印刷法によりアルミナ基板４１上に抵抗体１２Ａ、１２Ｂと分布容量電極１５を順次積層することにより構成することができるため、簡易かつ確実に製造することができる。なお、本実施の形態２においても、実施の形態１と同様の構成を有しているため、施の形態１と同様の作用・効果を得ることができる。さらに、本実施の形態２および実施の形態１においては、分布容量電極１５が一層形成されているが、これに限られない。例えば、図９に示されるように、分布容量電極１５が抵抗体１２Ａ、１２Ｂとの間に二層設けられ、各抵抗体１２Ａ，１２Ｂ毎に分布容量電極１５を設けてもよい。
【００４６】
（実施の形態３）
次に、図１０から図１４を用いて、本発明の実施の形態３について説明する。
【００４７】
図１０に示すように本実施の形態３においては、積層構造分布定数型ＲＣ素子６０は、抵抗体１２Ａと、抵抗体１２Ａと積層方向に離間して設けられた抵抗体１２Ｂと、抵抗体１２Ｂと積層方向に離間して設けられた抵抗体１２Ｃを有する。そして、抵抗体１２Ａの両端部に形成された端子電極１８ａ、１８ｂと、抵抗体１２Ｂの両端部に形成された端子電極１８ｃ、１８ｄと、抵抗体１２Ｃの両端部に形成された端子電極１８ｅ、１８ｆとを有する。さらに、抵抗体１２Ａと抵抗体１２Ｂとの間に配置され分布容量を発生する分布容量電極１５Ａと、抵抗体１２Ｂと抵抗体１２Ｃとの間に配置され分布容量を発生する分布容量電極１５Ｂと、抵抗体１２Ｃの下面側に配置された分布容量電極１５Ｃとを備えている。
【００４８】
この積層構造分布定数型ＲＣ素子６０においては、分布容量電極１５Ａと、この分布容量電極１５Ａの上面側に設けられている抵抗体１２Ａと、抵抗体１２Ａの両端部に形成された端子電極１８ａ，１８ｂとから分布定数型ＲＣ素子１４Ａが構成されている。分布容量電極１５Ａ，１５Ｂと、分布容量電極１５Ａ，１５Ｂの間に設けられている抵抗体１２Ｂと、抵抗体１２Ｂの両端部に形成された端子電極１８ｃ、１８ｄとから分布定数型ＲＣ素子１４Ｂが構成されている。分布容量電極１５Ｂ，１５Ｃと、この分布容量電極１５Ｂ，１５Ｃの間に配置された抵抗体１２Ｃと、抵抗体１２Ｃの両端部に形成された端子電極１８ｅ、１８ｆとから分布定数型ＲＣ素子１４Ｃが構成されている。
【００４９】
端子電極１８ａには、入出力用配線３１ａが接続され、端子電極１８ｂには、接続部６７Ａが接続されている。また、端子電極１８ｃには、接続部６７Ｂが接続され、端子電極１８ｄには、接続部６７Ａが接続されている。さらに、端子電極１８ｅには、接続部６７Ｂが接続され、端子電極１８ｆには、入出力用配線３１ｂが接続されている。このため、分布定数型ＲＣ素子１４Ａ〜１４Ｃの各抵抗体１２Ａ〜１２Ｃは接続部６７Ａ，６７Ｂにより直列に接続されている。端子電極１８ａと、端子電極１８ｃとは、その厚み方向に対向配置されており、容量Ｃ１が構成されている。端子電極１８ｄと、端子電極１８ｆとは、その厚み方向に対抗配置されており、容量Ｃ２が構成されている。
【００５０】
図１１は、本実施の形態３に係る積層構造分布定数型ＲＣ素子６０の分解斜視図である。図１１に示されるように、積層構造分布定数型ＲＣ素子６０は、複数の略長方形形状のシート１６Ａ〜１６Ｆが積層されて構成されている。シート１６Ａには、長手方向の一方の端部側に形成された穴部８０ｂと、シート１６Ａの中央部付近に形成された穴部８０ｃと、シート１６Ａの隅部に形成された穴部８０ｄとが設けられている。穴部８０ｂ、８０ｃ、８０ｄには、導電性の充填部８０Ｂ、８０Ｃ、８０Ｄが充填されている。また、シート１６Ａには、抵抗体１２Ａと、この抵抗体１２Ａの両端部に形成された端子電極１８ａ、１８ｂとが設けられている。端子電極１８ｂの突出部３０ｂは、穴部８０ｂに位置させられている。
【００５１】
シート１６Ｂには、穴部８０ｃに対応する位置に形成された穴部１１０ｃと、穴部８０ｂに対応する位置に形成された穴部１１０ｂと、穴部８０ｄに対応する位置に形成された穴部１１０ｄとが設けられている。穴部１１０ｂ、１１０ｃ、１１０ｄには、導電性の充填部１１０Ｂ、１１０Ｃ，１１０Ｄが充填されており、シート１６Ｂの中央部には、分布容量電極１５Ａが形成されている。分布容量電極１５Ａには、突出部が形成されており、この突出部は、穴部１１０ｃに充填された充填部１１０Ｃに接続されている。
【００５２】
シート１６Ｃには、シート１６Ｃの一方の端部に形成された穴部８１ａと、穴部１１０ｃに対応する位置に形成された穴部８１ｃと、穴部１１０ｄに対応する位置に形成された穴部８１ｄとが設けられている。穴部８１ａ、８１ｃ、８１ｄには、導電性の充填部８１Ａ、８１Ｃ、８１Ｄが充填されている。また、シート１６Ｃには、抵抗体１２Ｂと、抵抗体１２Ｂの両端部に形成された端子電極１８ｃ、１８ｄとが設けられている。端子電極１８ｃの突出部３０ｃは、穴部８１ａに位置させられており、端子電極１８ｄの突出部３０ｄは、穴部１１０ｂの下方に位置させられている。
【００５３】
シート１６Ｄには、穴部８１ａに対応する位置に形成された穴部１１１ａと、穴部８１ｃに対応する位置に形成された穴部１１１ｃと、穴部８１ｄに対応する位置に形成された穴部１１１ｄとが設けられている。穴部１１１ａ、１１１ｃ、１１１ｄには、導電性の充填部１１１Ａ、１１１Ｃ、１１１Ｄが充填されている。また、シート１６Ｄには、分布容量電極１５Ｂが形成されている。分布容量電極１５Ｂには、突出部が形成されており、この突出部は、穴部１１１ｃに充填された充填部１１１Ｃに接続されている。
【００５４】
シート１６Ｅには、穴部１１１ｃに対応する位置に形成された穴部８２ｃが設けられている。穴部８２ｃには、導電性の充填部８２Ｃが充填されている。また、シート１６Ｅには、抵抗体１２Ｃと、抵抗体１２Ｃの両端部に形成された端子電極１８ｅ，１８ｆが設けられている。端子電極１８ｆの突出部３０ｆは、穴部１１１ｄの下方に位置させられており、端子電極１８ｅの突出部３０ｅは、穴部１１１ａの下方に位置させられている。
【００５５】
シート１６Ｆには、分布容量電極１５Ｃが形成されている。分布容量電極１５Ｃには、突出部が形成されており、この突出部は、穴部８２ｃに充填された充填部８２Ｃと接続されている。
【００５６】
このように構成されたシート１６Ａ〜１６Ｆを順次積層すると、接続部６７Ａ、６７Ｂ、６７ｃが形成される。すなわち、接続部６７Ａは、充填部８０Ｂ，１１０Ｂと突出部３０ｄとが上下方向に接続されることにより構成されている。また、接続部６７Ｂは、充填部８１Ａ，１１１Ａと突出部３０ｅとが上下方向に接続されることにより構成されている。さらに、接続部６７ｃは、充填部１１０Ｃ，８１Ｃ，１１１Ｃ，８２Ｃと、分布容量電極１５Ａの突出部と、分布容量電極１５Ｂの突出部と、分布容量電極１５Ｃの突出部とが上下方向に接続されることにより構成され、分布容量電極１５Ａ〜１５Ｃの各電位を同電位とする。その上、入出力用配線３１ｂは、充填部８０Ｄ，１１０Ｄ，８１Ｄ，１１１Ｄと、端子電極１８ｆの突出部３０ｆとが、上下方向に接続されることにより構成されている。
【００５７】
図１２は、上記のように構成された積層構造分布定数型ＲＣ素子６０の等価回路図である。また、図１３は、図１２に示された等価回路図を整理して表示した、積層構造分布定数型ＲＣ素子６０の等価回路図である。この図１２に示されように、容量Ｃ１は、直列接続された抵抗体１２Ａと抵抗体１２Ｂとに対して並列に配置されており、容量Ｃ２は、直列接続された抵抗体１２Ｂと抵抗体１２Ｃとに並列して配置されている。
【００５８】
このように構成された積層構造分布定数型ＲＣ素子６０の伝達関数Ｔ（ｓ）は、下記のようになり、この伝達関数Ｔ（ｓ）は、Ｔ（ｓ）＝０または、Ｔ（ｓ）の絶対値が極小値をとるｓを有するため、ノッチ特性を示すことが分かる。
【００５９】
【数３】
2006054697.tif 000005
【００６０】
図１４は、上記のように構成された積層構造分布定数型ＲＣ素子６０の出力側にバッファ回路を接続し、その出力と積層構造分布定数型ＲＣ素子６０の分布容量電極とを接続してローパスフィルタを構成したものの特性である。この図１４に実線で示されるように、本実施の形態３に係る積層構造分布定数型ＲＣ素子６０は、ノッチ特性を示すことが分かる。そして、図１４に破線で示した特性は、積層構造分布定数型ＲＣ素子６０の容量Ｃ１、Ｃ２がない場合の特性である。なお、本実施の形態３においては、分布容量電極１５Ａ〜１５Ｃと抵抗体１２Ａ〜１２Ｃとを交互に配置しているが、これに限られない。従って、さらに抵抗体と電極とを交互に積層してもよい。
【００６１】
図１５、図１６を用いて、本発明の実施の形態４について説明する。
【００６２】
（実施の形態４）  
図１５に示されるように、本実施の形態４に係るフィルタ１７０は、最も入力端子側に配置された積層構造分布定数型ＲＣ素子６０Ａと、この積層構造分布定数型ＲＣ素子６０Ａの出力側の端子に接続されたバッファ回路１７１Ａと、バッファ回路１７１Ａの出力側に接続された積層構造分布定数型ＲＣ素子６０Ｂと、この積層構造分布定数型ＲＣ素子６０Ｂの出力側に接続されたバッファ回路１７１Ｂとから構成されている。
【００６３】
積層構造分布定数型ＲＣ素子６０Ａ、６０Ｂは、上記の実施の形態３に示された積層構造分布定数型ＲＣ素子６０と基本的に同一の構成とされている。但し、積層構造分布定数型ＲＣ素子６０Ａの電極が形成する分布容量電極は、分布定数型ＲＣ素子６０Ｂの電極が形成する分布容量電極より小さくなるように設定されている。このため、図１６に示すように、積層構造分布定数型ＲＣ素子６０Ａのノッチ周波数ｆ１は、積層構造分布定数型ＲＣ素子６０Ｂのノッチ周波数ｆ２より大きくなっている。
【００６４】
なお、本実施の形態４には示されていないが、ノッチ周波数が小さい積層構造分布定数型ＲＣ素子６０Ｂの出力側に、ローパスフィルタを設けてもよい。また、本実施の形態４においては、フィルタ１７０を構成する積層構造分布定数型ＲＣ素子６０Ａ、６０Ｂには、それぞれ、上記実施の形態３に係る積層構造分布定数型ＲＣ素子が用いられているが、これに限られず、ノッチ周波数が異なる積層構造分布定数型ＲＣ素子が複数直列に接続されておればよい。従って、上記実施の形態３に係る積層構造分布定数型ＲＣ素子に限られず、上記実施の形態１、２に係る積層構造分布定数型ＲＣ素子との組み合わせにより構成されていてもよい。さらに、本実施の形態４に係るフィルタ１７０は、積層構造分布定数型ＲＣ素子６０Ａ，６０Ｂの出力側にバッファ回路が接続された構成のものが二つ電気的に直列に接続されているが、同構造が三つ以上接続されてもよい。
【００６５】
図１６は、上記のように構成されたフィルタ１７０の周波数特性を示す図であり、フィルタ１７０の周波数特性は、積層構造分布定数型ＲＣ素子６０Ａによるノッチと、積層構造分布定数型ＲＣ素子６０Ｂによるノッチとの二つのノッチを有している。また、ノッチ周波数が小さい積層構造分布定数型ＲＣ素子６０Ｂの出力側にローパスフィルタを設けた場合には、図１７に示されるように、積層構造分布定数型ＲＣ素子６０Ｂのノッチ周波数ｆ２より大きな周波数領域において、ノッチ特性の跳ね返りが抑制される。このため、フィルタ１７０の周波数特性のうち、積層構造分布定数型ＲＣ素子６０Ａにより形成されるノッチの減衰率がさらに大きくなる。さらに、二つ以上の積層構造分布定数型ＲＣ素子が接続された場合には、フィルタ１７０の周波数特性は、複数のノッチを有する。
【００６６】
このようなフィルタ１７０においては、周波数特性が二つのノッチを有しているため、特定の２つの周波数のノイズを除去することができる。また、ノッチ周波数が小さい積層構造分布定数型ＲＣ素子６０Ｂの出力側にローパスフィルタを設けた場合には、フィルタ１７０の周波数特性を急峻なものとすることができる。さらに複数の積層構造分布定数型ＲＣ素子を接続した場合には、フィルタ１７０の周波数特性が、複数のノッチを有することになり、特定の複数の周波数のノイズを除去することができる。なお、本実施の形態４に係るフィルタ１７０は、上記実施の形態１，２に係る積層構造分布定数型ＲＣ素子により構成されているため、積層構造分布定数型ＲＣ素子６０Ａ、６０Ｂをコンパクトに構成することができるため、フィルタ１７０自体もコンパクトに構成することができる。
【００６７】
以上のように本発明の実施の形態について説明を行ったが、上述の各実施の形態の構成を適宜組み合わせることも当初から予定している。
【００６８】
また、今回開示した実施の形態は、全ての点で例示であって制限的なものではないと考えられるべきである。本発明の範囲は、特許請求の範囲によって示され、特許請求の範囲と均等の意味および範囲内で全ての変形が含まれる。
【産業上の利用可能性】
【００６９】
本発明は、積層構造分布定数型ＲＣ素子、該積層構造分布定数型ＲＣ素子を有するフィルタ、該フィルタを含む電子機器に有効に適用にされ得る。
【図面の簡単な説明】
【００７０】
【図１】本発明の実施の形態１に係る積層構造分布定数型ＲＣ素子の斜視図である。
【図２】図１に示された積層構造分布定数型ＲＣ素子の分解斜視図である。
【図３】図１に示された積層構造分布定数型ＲＣ素子の製造過程を示す図である。
【図４】（ａ）は電極用スクリーンパターンの斜視図であり、（ｂ）は抵抗用スクリーンパターンであり、（ｃ）はインシュレータ用スクリーンパターンの斜視図である。
【図５】図１に示された積層構造分布定数型ＲＣ素子の等価回路図である。
【図６】図１に示された積層構造分布定数型ＲＣ素子の周波数特性を示す図である。
【図７】（ａ）は実施の形態２に係る積層構造分布定数型ＲＣ素子の上面図であり、（ｂ）は（ａ）に示す積層構造分布定数型ＲＣ素子の側面図である。
【図８】図７に示された積層構造分布定数型ＲＣ素子の製造方法を示す図である。
【図９】図１の積層構造分布定数型ＲＣ素子の変形例の斜視図である。
【図１０】実施の形態３に係る積層構造分布定数型ＲＣ素子の斜視図である。
【図１１】図１０に示された積層構造分布定数型ＲＣ素子の分解斜視図である。
【図１２】図１０に示された積層構造分布定数型ＲＣ素子の等価回路図である。
【図１３】図１０に示された積層構造分布定数型ＲＣ素子の簡略化した等価回路図である。
【図１４】図１０に示された積層構造分布定数型ＲＣ素子を用いたローパスフィルタの周波数特性を示す図である。
【図１５】実施の形態４に係る積層構造分布定数型ＲＣ素子の等価回路図である。
【図１６】図１５に示された積層構造分布定数型ＲＣ素子の周波数特性を示す図である。
【図１７】図１５に示された積層構造分布定数型ＲＣ素子の周波数特性を示す図である。
【図１８】分布定数型ＲＣ素子と容量とから構成された従来のフィルタの等価回路図である。
【図１９】図１８に示されたフィルタの分布定数型ＲＣ素子の斜視図である。
【図２０】図１８に示されたフィルタにバッファ回路を設けたフィルタの等価回路図である。
【図２１】従来のチップ型フィルタの断面図である。
【図２２】図２１に示されたフィルタの等価回路図である。
【図２３】（ａ）は従来の積層体を有するフィルタの斜視図であり、（ｂ）は（ａ）に示されたフィルタの等価回路図であり、（ｃ）の実線は（ａ）に示されたフィルタの周波数特性を示す図である。
【図２４】従来の積層体を有するフィルタの斜視図である。
【符号の説明】
【００７１】
１０  積層分布型ＲＣ素子、１２Ａ  抵抗体、１２Ｂ  抵抗体、１３  接続部、１５  電極、Ｃ  容量、１９ａ  端子電極、３１ａ  入出力用配線、３１ｂ  入出力用配線。
【図１】
2006054697.tif 000006
【図２】
2006054697.tif 000007
【図３】
2006054697.tif 000008
【図４】
2006054697.tif 000009
【図５】
2006054697.tif 000010
【図６】
2006054697.tif 000011
【図７】
2006054697.tif 000012
【図８】
2006054697.tif 000013
【図９】
2006054697.tif 000014
【図１０】
2006054697.tif 000015
【図１１】
2006054697.tif 000016
【図１２】
2006054697.tif 000017
【図１３】
2006054697.tif 000018
【図１４】
2006054697.tif 000019
【図１５】
2006054697.tif 000020
【図１６】
2006054697.tif 000021
【図１７】
2006054697.tif 000022
【図１８】
2006054697.tif 000023
【図１９】
2006054697.tif 000024
【図２０】
2006054697.tif 000025
【図２１】
2006054697.tif 000026
【図２２】
2006054697.tif 000027
【図２３】
2006054697.tif 000028
【図２４】
2006054697.tif 000029